(57)【要約】【課題】入力信号に応じた表示形態で波形モニタを表示する表示装置及び表示装置の制御方法を提供すること。【解決手段】画像信号を含む信号を入力する入力部１０１と、入力した信号から画像信号と付加情報を抽出するデコーダ部１０２と、画像信号から出力信号を生成する画像処理部１０３と、画像信号の有効範囲を示すレンジ情報を算出するレンジ算出部１０４と、画像信号の有効範囲、および、信号レベルと輝度の対応関係を明示した波形画面を生成する波形生成部１０５と、出力信号と波形画面を表示する表示部１０６と、を有することを特徴とする。【選択図】図１
2019114890.tif 000002
【特許請求の範囲】
【請求項１】
画像信号と画像信号の付加情報を含む信号を入力する信号入力手段と、
信号入力手段で入力した信号から画像信号と付加情報を抽出する復号手段と、
画像信号から出力信号を生成する画像処理手段と、
付加情報から画像信号の有効範囲を示すレンジ情報を算出するレンジ算出手段と、
画像信号とレンジ情報を基に、画像信号の有効範囲、および、信号レベルと輝度の対応関係を明示した波形画面を生成する波形生成手段と、
出力信号と波形画面を表示する表示手段と、
を有することを特徴とする表示装置。
【請求項２】
画像信号と画像信号の付加情報を含む信号を入力する信号入力手段と、
信号入力手段で入力した信号から画像信号と付加情報を抽出する復号手段と、
画像信号から出力信号を生成する画像処理手段と、
付加情報から画像信号の有効範囲を示すレンジ情報を算出するレンジ算出手段と、
画像信号とレンジ情報を基に、画像信号の有効範囲、および、信号レベルとダイナミックレンジの対応関係を明示した波形画面を生成する波形生成手段と、
出力信号と波形画面を表示する表示手段と、
を有することを特徴とする表示装置。
【請求項３】
２つの階調特性を持つ画像信号と画像信号の付加情報を含む信号を入力する信号入力手段と、
信号入力手段で入力した信号から画像信号と付加情報を抽出する復号手段と、
画像信号から出力信号を生成する画像処理手段と、
付加情報から一方の階調特性を持つ画像信号の有効範囲を算出するレンジ算出手段と、
画像信号とレンジ情報を基に、一方の階調特性を持つ画像信号の有効範囲を明示した波形画面を生成する波形生成手段と、
出力信号と波形画面を表示する表示手段と、
を有することを特徴とする表示装置。
【請求項４】
前記波形生成手段は、有効範囲内の画像信号の波形と、有効範囲外の画像信号の波形を異なる表示形態で表示することを特徴とする請求項１乃至請求項３の何れか一項に記載の表示装置。
【請求項５】
前記波形生成手段は、レンジ情報を基に、波形画面に表示される波形をスケーリングして表示することを特徴とする請求項１乃至請求項４の何れか一項に記載の表示装置。
【発明の詳細な説明】
【技術分野】
【０００１】
本発明は、波形モニタを表示可能な表示装置及びその制御方法に関する。
【背景技術】
【０００２】
映像制作では、様々な規格の映像信号が用いられている。放送の規格としては、ＩＴＵ（Ｉｎｔｅｒｎａｔｉｏｎａｌ  Ｔｅｌｅｃｏｍｍｕｎｉｃａｔｉｏｎ  Ｕｎｉｏｎ）−Ｒ（Ｒａｄｉｏｃｏｍｍｕｎｉｃａｔｉｏｎｓ  Ｓｅｃｔｏｒ）  ＢＴ．７０９がある。また、デジタルシネマの規格としては、ＤＣＩ（Ｄｉｇｉｔａｌ  Ｃｉｎｅｍａ  Ｉｎｉｔｉａｔｉｖｅｓ）がある。
【０００３】
従来、映像制作において用いられてきたこれらの規格は、何れも信号のレンジは固定（０〜１００％）であった。そのため、波形モニタ上には、入力信号によらず信号レベル（０〜１００％）の目盛が常に表示されていた。
【０００４】
一方で、波形モニタの表示形態を動的に変える提案もされている。具体的には、画質設定に応じて部分的に拡大して波形モニタを表示する方法があった（特許文献１参照）。
【先行技術文献】
【特許文献】
【０００５】
【特許文献１】特開２０１４−１０７７９９号公報
【発明の概要】
【発明が解決しようとする課題】
【０００６】
近年、ＨＤＲ（Ｈｉｇｈ  Ｄｙｎａｍｉｃ  Ｒａｎｇｅ）に対応した新たな規格が出てきている。代表的なものとしては、ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）が提唱するＳＭＰＴＥ  ＳＴ  ２０８４（以下、ＳＴ２０８４）がある。さらに、ＳＴ２０８４などＨＤＲ信号を伝送するための通信インタフェースとして、ＨＤＭＩ(登録商標)（Ｈｉｇｈ−Ｄｅｆｉｎｉｔｉｏｎ  Ｍｕｌｔｉｍｅｄｉａ  Ｉｎｔｅｒｆａｃｅ）２．０ａが規格化されている。
【０００７】
ＳＴ２０８４規格の映像信号をＨＤＭＩ２．０ａで伝送する場合、送出側では映像の最大／最小輝度を指定し、再生側では指定された最大／最小輝度に応じて映像を表示する。ＳＴ２０８４では、最大輝度を１００００ｎｉｔまで指定することができる。また、ＨＤＭＩ２．０ａでは、ＩｎｆｏＦｒａｍｅを用いて映像の最大／最小輝度を伝送することができる。
【０００８】
入力信号がＳＴ２０８４規格の１２ｂｉｔ信号（０〜４０９５）で、最大輝度が２０００ｎｉｔの場合、４０９５の信号の輝度は１００００ｎｉｔ、３３８９の信号の輝度は約２０００ｎｉｔである。この場合、波形モニタ上に表示される波形の上限は、３３８９／４０９５≒８３％である。
【０００９】
このように、入力信号がＳＴ２０８４規格の場合、波形モニタ上に表示される波形の上限は、最大輝度によって変化する。そのため、輝度と波形の関係を波形モニタから読み取れるようにすることが望ましい。
【００１０】
しかしながら、上述した従来の技術では、入力信号に応じて波形モニタの表示形態を変えないため、入力信号がＳＴ２０４８規格の場合に、輝度と波形の関係を波形モニタから読み取ることができなかった。
【００１１】
そこで、本発明は、入力信号に応じた表示形態で波形モニタを表示する表示装置及び表示装置の制御方法を提供することを目的とする。
【課題を解決するための手段】
【００１２】
上記の目的を達成するために、本発明に係る表示装置は、
画像信号と画像信号の付加情報を含む信号を入力する信号入力手段と、信号入力手段で入力した信号から画像信号と付加情報を抽出する復号手段と、画像信号から出力信号を生成する画像処理手段と、付加情報から画像信号の有効範囲を示すレンジ情報を算出するレンジ算出手段と、画像信号とレンジ情報を基に、画像信号の有効範囲、および、信号レベルと輝度の対応関係を明示した波形画面を生成する波形生成手段と、出力信号と波形画面を表示する表示手段と、を有することを特徴とする。
【発明の効果】
【００１３】
本発明に係る表示装置によれば、入力信号に応じて波形モニタの表示形態を変えるため、ＳＴ２０８４のように最大輝度に応じて信号のレンジが変わる場合であっても、輝度と波形との関係を正確に把握することができる。
【図面の簡単な説明】
【００１４】
【図１】本発明の実施例１に係る表示装置の概略構成を示すブロック図である。
【図２】本発明の実施例１に係る表示装置のレンジ算出部におけるレンジ算出処理について説明するためのフローチャートである。
【図３】本発明の実施例１に係る表示装置に入力される映像の例である。
【図４】本発明の実施例１に係る表示装置で表示される波形画面の表示例である。
【図５】本発明の実施例２に係る撮像装置および表示装置の概略構成を示すブロック図である。
【図６】本発明の実施例２に係る表示装置のレンジ算出部におけるレンジ算出処理について説明するためのフローチャートである。
【図７】本発明の実施例２に係る表示装置で表示される波形画面の表示例である。
【図８】本発明の実施例３に係る表示装置で表示される波形画面の表示例である。
【発明を実施するための形態】
【００１５】
以下、本発明の実施例について、図面を参照して説明する。ただし、本発明は以下の実施例に限定されるものではない。
【実施例１】
【００１６】
図１を参照して、ディスプレイ１００の構成について説明する。
【００１７】
入力部１０１は、外部から映像を含む信号を入力する。
【００１８】
デコーダ部１０２は、入力部１０１が入力した信号をデコードし、映像信号とメタデータを抽出する。映像信号は後述する画像処理部１０３と波形生成部１０５、メタデータは後述するレンジ算出部１０４にそれぞれ送られる。
【００１９】
ＨＤＭＩ２．０ａの場合、デコーダ部１０２はＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）デコーダが含まれる。ＴＭＤＳデコーダでは、入力信号を映像信号、および、音声、補助データのパケットを分離する。パケットにはパケットタイプが割り当てられており、パケットタイプが０ｘ８７のパケットは、ダイナミックレンジに関するＩｎｆｏＦｒａｍｅを示す。デコーダ部１０２では、このＩｎｆｏＦｒａｍｅをメタデータとして抽出する。
【００２０】
画像処理部１０３は、ユーザが指定した画質調整値、または、デコーダ部１０２が抽出したメタデータに含まれる画質調整値を基に、デコーダ部１０２から入力した映像信号を補正する。
【００２１】
レンジ算出部１０４は、デコーダ部１０２で抽出したメタデータから、映像信号の最大輝度、および、有効レンジを算出する。デコーダ部１０２でメタデータが抽出されない場合は、映像信号の最大輝度はユーザが指定した輝度値、映像信号の有効レンジは０〜１００％とする。レンジ算出部１０４におけるレンジ算出処理の詳細については、図２のフローチャートを参照して後述する。
【００２２】
波形生成部１０５は、デコーダ部１０２から入力する映像信号から輝度信号を抽出し、輝度信号の波形を抽出する。さらに、輝度信号の波形に、映像信号の最大輝度、および、有効レンジを明示することで、波形画面を生成する。映像信号の最大輝度、および、有効レンジは、レンジ算出部１０４から取得する。波形生成部１０５で生成される波形画面の詳細については、図３、図４を参照して後述する。
【００２３】
表示部１０６は、画像処理部１０３から入力する映像信号に、波形生成部１０５から入力する波形画面を重畳して表示する。
【００２４】
レンジ算出部１０４におけるレンジ算出処理の詳細について、図２のフローチャートを参照して説明する。なお、図２のうち、Ｓ１１〜Ｓ１５ではＨＤＭＩ２．０ａで信号を入力した場合について説明する。
【００２５】
まず、レンジ算出部１０４は、デコーダ部１０２でＩｎｆｏＦｒａｍｅが抽出されている場合（Ｓ１１）、デコーダ部１０２から抽出したＩｎｆｏＦｒａｍｅを取得する（Ｓ１２）。さらに、取得したＩｎｆｏＦｒａｍｅからは、映像信号のＥＯＴＦ（Ｅｌｅｃｔｒｏ−Ｏｐｔｉｃａｌ  Ｔｒａｎｓｆｅｒ  Ｆｕｎｃｔｉｏｎ）を取得する（Ｓ１３）。ＥＯＴＦでは、ディスプレイ１００における映像信号の階調変換について規定する。
【００２６】
ＥＯＴＦを取得したら、レンジ算出部１０４は、ＥＯＴＦを基に映像信号の最大輝度を決定する（Ｓ１４）。具体的には、ＥＯＴＦがＳＤＲ（Ｓｔａｎｄａｒｄ  Ｄｙｎａｍｉｃ  Ｒａｎｇｅ）の場合は、映像信号の最大輝度を１００ｎｉｔとする。また、ＥＯＴＦがＨＤＲの場合は、映像信号の最大輝度はディスプレイ１００の最大輝度とする。また、ＥＯＴＦがＳＴ２０８４の場合は、ＩｎｆｏＦｒａｍｅから最大輝度を取得し、映像信号の最大輝度とする。
【００２７】
さらに、レンジ算出部１０４は、ＥＯＴＦを基に映像信号の有効レンジを決定する（Ｓ１５）。ＳＴ２０８４規格の映像信号の場合、最大輝度によって信号の有効レンジは異なる。ＳＴ２０８４規格の１２ｂｉｔ信号（０〜４０９５）で、最大輝度が２０００ｎｉｔの場合、４０９５が１００００ｎｉｔ、３３８９が約２０００ｎｉｔである。したがって、最大輝度が２０００ｎｉｔの場合、信号レベルの上限値は３３８９／４０９５≒８３％であるため、信号の有効レンジは０〜８３％である。ＳＴ２０８４規格以外の映像信号の場合は、信号の有効レンジは常に０〜１００％である。
【００２８】
デコーダ部１０２でＩｎｆｏＦｒａｍｅが抽出されない場合（Ｓ１１）、映像信号の最大輝度はユーザが指定した輝度値とする（Ｓ１６）。また、映像信号の有効レンジは、０〜１００％とする（Ｓ１７）。
【００２９】
図４（Ａ）は、図３に示すＳＴ２０８４規格の映像信号がディスプレイ１００に入力された場合に、波形生成部１０５で生成される波形画面の表示例である。図４（Ａ）の例では、映像信号の最大輝度が２０００ｎｉｔであり、２０００ｎｉｔに相当する信号レベル（８３％）、すなわち、信号レベルの上限にマーカーを表示する。さらに、マーカー付近には、最大輝度（２０００ｎｉｔ）と信号レベルの上限（８３％）を明示する。
【００３０】
図４（Ｂ）は、図３に示すＳＴ２０８４規格以外の映像信号がディスプレイ１００に入力された場合に、波形生成部１０５で生成される波形画面の表示例である。図４（Ｂ）の例では、入力される映像信号は、最大輝度によって映像信号の有効レンジは決まらない。すなわち、映像信号の有効レンジは、常に０〜１００％である。この場合、最大輝度（白輝度）はユーザ設定によって決まり、図４（Ｂ）の例では１００ｎｉｔである。
【００３１】
以上説明したように、実施例１では、入力信号に応じて波形モニタの目盛表示を変えるようにした。これにより、ＳＴ２０８４規格の映像信号の波形を表示する場合に、輝度と波形の関係を正確に把握することができる。
【００３２】
なお、信号レンジが動的に変わるものであれば、ＳＴ２０８４規格に限定しない。また、信号レンジが変わる要因は、最大輝度に限定しない。また、波形モニタ上には、輝度の目盛と信号レベルの目盛を併記して表示もよいし、何れか一方でもよい。
【実施例２】
【００３３】
実施例２では、カメラの設定に応じて波形モニタの目盛表示を変える場合について説明する。実施例２では、図５に示すように、カメラ２００とディスプレイ１００が接続された構成をとる。カメラ２００からはディスプレイ１００に対して映像信号が出力される。
【００３４】
カメラ２００の構成について、図５を参照して説明する。
【００３５】
記憶部２０１は、ＩＳＯ（Ｉｎｔｅｒｎａｔｉｏｎａｌ  Ｏｒｇａｎｉｚａｔｉｏｎ  ｆｏｒ  Ｓｔａｎｄｅｒｄｉｚａｔｉｏｎ）  感度やＯＥＴＦ（Ｏｐｔｉｃａｌ−Ｅｌｅｃｔｒｏ  Ｔｒａｎｓｆｅｒ  Ｆｕｎｃｔｉｏｎ）など、カメラ２００の設定値を記憶する。ＩＳＯ感度は、撮像センサの感度を表す。ＯＥＴＦでは、カメラ２００における映像信号の階調変換について規定する。
【００３６】
撮像部２０２では、撮像センサで光を電気信号に変換する。さらに撮像部２０２では、記憶部２０１に記憶されたＩＳＯ感度やＯＥＴＦなどの設定値に基づいて、撮像された信号を増幅または補正し、出力２０３に出力する。
【００３７】
出力部２０３は、撮像部２０２から入力した信号をディスプレイ１００に出力する。さらに、出力部２０３では、例えばＳＤＩ（Ｓｅｒｉａｌ  Ｄｉｇｉｔａｌ  Ｉｎｔｅｒｆａｃｅ）信号のアンシラリ領域を利用して、信号情報をディスプレイ１００に出力する。信号情報の内容は、記憶部２０１に記憶されているＯＥＴＦの設定に応じて決まる。
【００３８】
ＯＥＴＦがＬｏｇの場合、信号情報には、ＯＥＴＦおよびダイナミックレンジ（最高３２００％）を含める。ここでは、ダイナミックレンジを最高３２００％としているが、ＯＥＴＦによって異なる。ダイナミックレンジは、カメラ２００のＩＳＯ感度の設定に応じて決まる。ＩＳＯ感度が１００の場合はダイナミックレンジ１００％、ＩＳＯ感度が８００の場合はダイナミックレンジ１６００％とする。ただし、ＩＳＯ感度とダイナミックレンジの関係は、これらに限定しない。例えば、ＩＳＯ感度が１００の場合に、ダイナミックレンジを２００％にしてもよい。また、ＩＳＯ感度だけでなく、レンズや撮像センサの性能など、他の要素を加味してダイナミックレンジを決めてもよい。例えば、レンズが明るい場合や、撮像センサの感度が高い場合は、より高いダイナミックレンジを設定してもよい。
【００３９】
ＯＥＴＦがＳＴ２０８４の場合、信号情報には、ＯＥＴＦおよび信号の最大輝度（最高１００００ｎｉｔ）を含める。最大輝度は、カメラ２００の輝度設定に応じて決める。輝度設定が２０００ｎｉｔの場合は、最大輝度も２０００ｎｉｔとする。
【００４０】
ＯＥＴＦが２つの特性を持つ（以下ハイブリッド）場合、信号情報には、ＯＥＴＦおよび２つのＯＥＴＦの境界値を含める。ハイブリッドのＯＥＴＦでは、暗部側と明部側でそれぞれ異なるＯＥＴＦを割り当てる。ＯＥＴＦがハイブリッドの場合、２つのＯＥＴＦの境界値の信号レベルは、６０％とする。
【００４１】
ディスプレイ１００の構成について、図５を参照して説明する。以下、図１との差分について説明する。
【００４２】
デコーダ部１０２では、入力部１０１が入力した信号をデコードし、映像信号と信号情報を抽出する。抽出した信号情報は、後述するレンジ算出部１０４に送られる。
【００４３】
レンジ算出部１０４は、デコーダ部１０２で抽出した信号情報を基に、映像信号の有効レンジを算出する。また、レンジ算出部１０４は、映像信号の信号情報と有効レンジを波形生成部１０５に送る。レンジ算出部１０４におけるレンジ算出処理の詳細については、図６のフローチャートを参照して後述する。
【００４４】
波形生成部１０５は、デコーダ部１０２から入力する映像信号から輝度信号を抽出し、輝度信号の波形を抽出する。さらに、波形生成部１０５は、輝度信号の波形と、レンジ算出部１０４から取得した映像信号の信号情報および有効レンジを基に、波形画面を生成する。波形生成部１０５で生成される波形画面の詳細については、図７を参照して後述する。
【００４５】
レンジ算出部１０４におけるレンジ算出処理の詳細について、図６のフローチャートを参照して説明する。
【００４６】
まず、レンジ算出部１０４は、デコーダ部１０２から映像信号の信号情報を取得する。さらに、レンジ算出部１０４は、信号情報に含まれるＯＥＴＦを取得する（Ｓ２１）。
【００４７】
ＯＥＴＦがＬｏｇの場合（Ｓ２２）、レンジ算出部１０４は、デコーダ部１０２から映像信号のダイナミックレンジを取得し（Ｓ２３）、ダイナミックレンジに応じて映像信号の有効レンジを決定する（Ｓ２４）。ここで、ＯＥＴＦがＬｏｇの場合、ダイナミックレンジは最高３２００％とする。ダイナミックレンジ３２００％であれば信号の有効レンジは０〜１００％、ダイナミックレンジ１６００％であれば信号の有効レンジは０〜７０％とする。ダイナミックレンジと信号の有効レンジの関係は、これらに限定しない。また、ダイナミックレンジに応じて一意に信号の有効レンジを決めるのではなく、カメラ２００の特性（レンズや撮像センサの性能など）や他の設定値を加味して、信号の有効レンジを算出してもよい。
【００４８】
ＯＥＴＦがＳＴ２０８４の場合（Ｓ２５）、レンジ算出部１０４は、デコーダ部１０２から映像信号の最大輝度を取得し（Ｓ２６）、最大輝度に応じて映像信号の有効レンジを決定する（Ｓ２７）。ＳＴ２０８４規格の１２ｂｉｔ信号（０〜４０９５）で、最大輝度が２０００ｎｉｔの場合、４０９５が１００００ｎｉｔ、３３８９が約２０００ｎｉｔである。したがって、最大輝度が２０００ｎｉｔの場合、信号レベルの上限値は３３８９／４０９５≒８３％であるため、信号の有効レンジは０〜８３％である。
【００４９】
ＯＥＴＦがハイブリッドの場合（Ｓ２８）、デコーダ部１０２から２つのＯＥＴＦの境界値を取得し（Ｓ２９）、境界値に応じて暗部側のＯＥＴＦを持つ信号の有効レンジを決定する（Ｓ３０）。ＯＥＴＦがハイブリッドの場合、境界値の信号レベルは６０％とする。そのため、暗部側のＯＥＴＦを持つ信号の有効レンジは０〜６０％とする。
【００５０】
ＯＥＴＦがＬｏｇ、ＳＴ２０８４、ハイブリッドの何れでもない場合は、信号の有効レンジを０〜１００％にする（Ｓ３１）。
【００５１】
このように、ＯＥＴＦに応じて信号の有効レンジを設定するが、Ｌｏｇ、ＳＴ２０８４、ハイブリッド以外のＯＥＴＦについても適用可能である。
【００５２】
図７（Ａ）は、ＯＥＴＦがＬｏｇの映像信号（図３）がディスプレイ１００に入力された場合に、波形生成部１０５で生成される波形画面の表示例である。図７（Ａ）の例では、映像信号のダイナミックレンジは１６００％、信号の有効レンジは０〜７０％なので、信号レベルの上限（７０％）にマーカーを表示する。さらに、マーカー付近には、ダイナミックレンジ（１６００％）と信号レベルの上限（７０％）を明示する。
【００５３】
図７（Ｂ）は、ＯＥＴＦがＳＴ２０８４の映像信号（図３）がディスプレイ１００に入力された場合に、波形生成部１０５で生成される波形画面の表示例である。図７（Ｂ）の例では、映像信号の最大輝度が２０００ｎｉｔであり、２０００ｎｉｔに相当する信号レベル（８３％）、すなわち、信号レベルの上限にマーカーを表示する。さらに、マーカー付近には、最大輝度（２０００ｎｉｔ）と信号レベルの上限（８３％）を明示する。
【００５４】
図７（Ｃ）は、ＯＥＴＦがハイブリッドの映像信号（図３）がディスプレイ１００に入力された場合に、波形生成部１０５で生成される波形画面の表示例である。図７（Ｃ）のうち、領域１には暗部側のＯＥＴＦを持つ映像信号の波形を表示し、領域２には明部側のＯＥＴＦを持つ映像信号の波形を表示する。図７（Ｃ）に示すように、ＯＥＴＦがハイブリッドの場合、２つのＯＥＴＦの境界値の信号レベル（６０％）にマーカーを表示する。また、図示しないが、領域１と領域２で波形を色分けして表示することで、ＯＥＴＦの違いを認識しやすくする。なお、領域１と領域２の波形を区別できれば、色分けに限定しない。
【００５５】
以上説明したように、実施例２では、カメラの設定に連動して波形モニタの目盛表示を変えるようにした。これにより、ＨＤＲ撮影をする場合など、意図したダイナミックレンジや輝度になるよう、カメラの設定を調整しながら撮影することができる。
【００５６】
なお、カメラの設定に応じて波形モニタの目盛表示を変えるようにしたが、ディスプレイに映像信号を出力可能であれば、カメラ以外でもよい。
【実施例３】
【００５７】
実施例３では、映像信号の有効レンジが０〜１００％でない場合、波形をスケーリングして表示する場合について説明する。
【００５８】
ディスプレイ１００の構成は、図１と同じであるため、処理の差分について説明する。
【００５９】
波形生成部１０５では、デコーダ部１０２から入力した映像信号、レンジ算出部１０４から入力した映像信号の最大輝度、および、有効レンジを基に、輝度信号の波形を生成する。ここで、映像信号の最大輝度が２０００ｎｉｔ、有効レンジが０〜８３％の場合、図８（Ａ）に示すように、８４〜１００％の領域には波形が表示されず、表示領域が無駄になる。映像信号の最大輝度がより低い場合は、波形が表示されない領域、すなわち、余白がより大きくなる。
【００６０】
波形生成部１０５では、このような余白が発生しないよう、有効レンジの最大値が波形画面の上端、有効レンジの最小値が波形画面の下端になるよう、輝度信号の波形をスケーリングして調整する。また、映像信号の最大輝度、および、有効レンジの最大値は、波形画面の上端に表示する。具体的には、映像信号の最大輝度が２０００ｎｉｔ、有効レンジが０〜８３％の場合、図８（Ｂ）に示すように、波形画面の上端の信号レベルが８３％になるよう、輝度信号の波形を表示する。波形画面の上端には、最大輝度（２０００ｎｉｔ）と有効レンジの最大値（８３％）を表示する。
【００６１】
以上説明したように、実施例３では、映像信号の有効レンジが０〜１００％でない場合に、波形をスケーリングして表示するようにした。これにより、ＳＴ２０８４規格の信号の波形を表示する場合に、波形モニタの表示領域の無駄をなくすことができる。
【００６２】
なお、波形をスケーリングして表示する場合に、映像信号の特性に応じて波形をスケーリングしてもよい。具体的には、ＳＴ２０８４規格の信号の場合、高輝度ほど階調の割り当てが少なく、高輝度ほど波形が圧縮されて表示されるため、階調の割り当てが均等になるように波形をスケーリングしてもよい。
【符号の説明】
【００６３】
１００  ディスプレイ、１０１  入力部、１０２  デコーダ部、
１０３  画像処理部、１０４  レンジ算出部、１０５  波形生成部、
１０６  表示部
【図１】
2019114890.tif 000003
【図２】
2019114890.tif 000004
【図３】
2019114890.tif 000005
【図４】
2019114890.tif 000006
【図５】
2019114890.tif 000007
【図６】
2019114890.tif 000008
【図７】
2019114890.tif 000009
【図８】
2019114890.tif 000010